(57)【要約】【課題】棺の内部の保冷用の、従来のドライアイスに替えて、冷風発生装置が発生させた冷気を棺の内部に循環供給する為に必要な、送風用補助具を提供する。【解決手段】蓋Ｃ２を取り除いた棺本体Ｃ１の開放上面の周縁部に載せ掛けられる様に、所定の高さ寸法を備えた、矩形枠状体の形態を備えており、周壁には、冷風発生装置Ｂが発生させた冷気を、棺Ｃの内空部に循環供給する為の、冷気の吹込口１及び排出口２が設けられており、前記の載掛状態で、その上面開口を、棺の蓋Ｃ２で塞いで用いることを特徴とする。送風用補助具は紙製とし、矩形枠状体の底面側には、棺本体Ｃ１の開放上面の周縁部を嵌め込ませる為の嵌込用溝１３を設ける。矩形枠状体は、４本の角柱状部材１０を、４個のコーナー連結材２０を介して矩形枠状に連結させた構成にするとよい。【選択図】　　　図４
0003097565.tif 000002
【実用新案登録請求の範囲】
【請求項１】
蓋Ｃ２を取り除いた棺本体Ｃ１の開放上面の周縁部に載せ掛けられる様に、所定の高さ寸法を備えた、矩形枠状体の形態を備えており、
その周壁には、冷風発生装置Ｂが発生させた冷気を、棺Ｃの内空部に循環供給する為の、冷気の吹込口１及び排出口２が設けられており、
前記の載掛状態で、その上面開口を、棺の蓋Ｃ２で塞いで用いることを特徴とする冷風発生装置により棺を保冷する為の送風用補助具。
【請求項２】
段ボール乃至は板紙を素材として、作られていることを特徴とする請求項１記載の冷風発生装置により棺を保冷する為の送風用補助具。
【請求項３】
矩形枠状体の底面側には、棺本体Ｃ１の開放上面の周縁部を嵌め込ませる為の嵌込用溝１３が設けられていることを特徴とする請求項１記載の冷風発生装置により棺を保冷する為の送風用補助具
【請求項４】
矩形枠状体の四辺を構成する４本の角柱状部材１０は、下向きの角樋状を成す外殻部１１と、その内空部に、嵌込用溝１３を形成させる部分を除いて充填した、段ボール片を角柱状に積層させたコア部１２とを備えることを特徴とする請求項１乃至３のいずれかに記載の冷風発生装置により棺を保冷する為の送風用補助具。
【請求項５】
矩形枠状体は、４本の角柱状部材１０を、４個のコーナー連結材２０を介して矩形枠状に連結させた構成を備えることを特徴とする請求項１乃至４のいずれかに記載の冷風発生装置により棺を保冷する為の送風用補助具。
【請求項６】
コーナー連結材２０は、直交状に突き合わされた２本の角柱状部材１０の各外側面端部に当接させる為の、折目ａを介して一体に連なる外側当接片２１Ａ，２１Ｂと、その各上端に、折目ｂ及びｃを介して順次延設された、頂面当接片２２Ａ，２２Ｂ、及び角柱状部材１０の内側面端部に当接させる為の内側当接片２３Ａ，２３Ｂとを、備えることを特徴とする請求項５記載の冷風発生装置により棺を保冷する為の送風用補助具。
【請求項７】
矩形枠状体の四辺を構成する４本の角柱状部材１０は、下向きの角樋状を成す外殻部１１の両側壁の各下端に、嵌込用溝１３を形成させる為のＬ形に折曲させた溝形成片１４を、折目ｄを介して延設した形態を備えており、外殻部１１と溝形成片１４との各重合面を互いに固着させることにより、角柱状部材１０を扁平に折り畳める様にしたことを特徴とする請求項１乃至３のいずれかに記載の冷風発生装置により棺を保冷する為の送風用補助具。
【請求項８】
矩形枠状体の四辺を構成する４本の角柱状部材１０は、下向きの角樋状を成す外殻部１１の両側壁の各下端間に、嵌込用溝１３を形成させる為の角樋形に折曲させた溝形成片１６を跨設した形態を備えており、角柱状部材１０を扁平に折り畳める様にしたことを特徴とする請求項１乃至３のいずれかに記載の冷風発生装置により棺を保冷する為の送風用補助具。
【考案の詳細な説明】
【０００１】
【考案の属する技術分野】
本考案は、棺の内部を、風冷発生装置を用いて保冷する為の、送風用補助具に関する。
【０００２】
【従来の技術】
棺の中に安置した遺体を、火葬に付される迄の間低温に保って置く為に、従来は、棺の中にドライアイスを一緒に収めて置くことが行われて来た。
【０００３】
【考案が解決しようとする課題】
然しながら、昨今、地球温暖化の元凶としての炭酸ガスに対する関心が急速に高まりつつあるところから、炭酸ガスを冷却固化させたドライアイスの使用は、極力避けることが望ましい。
その上、極低温のドライアイスの保管・輸送には特別の設備を要するので、取り扱いが厄介である。従って、比較的安価に入手出来るものでもない。
【０００４】
これ等の諸問題を解決すべく、ドライアイスを使わずに、棺の中を所要の低温に保たせて置く為の別の方法として、冷風発生装置を用いて、冷気を棺の中に循環供給する方法が着想された。
【０００５】
そこで、本考案の目的は、冷風発生装置が発生させた冷気を、棺の内部に循環供給する為に必要な、送風用補助具を提供するにある。
【０００６】
【課題を解決するための手段】
上記の目的を達成する為の、本考案による冷風発生装置により棺を保冷する為の送風用補助具は、
蓋Ｃ２を取り除いた棺本体Ｃ１の開放上面の周縁部に載せ掛けられる様に、所定の高さ寸法を備えた、矩形枠状体の形態を備えており、
その周壁には、冷風発生装置Ｂが発生させた冷気を、棺Ｃの内空部に循環供給する為の、冷気の吹込口１及び排出口２が設けられており、
前記の載掛状態で、その上面開口を、棺の蓋Ｃ２で塞いで用いることを特徴とする。
そして、冷風発生装置は、段ボール乃至は板紙を素材として作られていることも特徴とする。
更に、矩形枠状体の底面側には、棺本体Ｃ１の開放上面の周縁部を嵌め込ませる為の嵌込用溝１３が設けたことも特徴とする。
矩形枠状体の四辺を構成する４本の角柱状部材１０は、下向きの角樋状を成す外殻部１１と、その内空部に、嵌込用溝１３を形成させる部分を除いて充填した、段ボール片を角柱状に積層させたコア部１２とを備える形態にするとよい。
そして、矩形枠状体は、４本の角柱状部材１０を、４個のコーナー連結材２０を介して矩形枠状に連結させて組立てるとよい。
コーナー連結材２０は、直交状に突き合わされた２本の角柱状部材１０の各外側面端部に当接させる為の、折目ａを介して一体に連なる外側当接片２１Ａ，２１Ｂと、その各上端に、折目ｂ及びｃを介して順次延設された、頂面当接片２２Ａ，２２Ｂ、及び角柱状部材１０の内側面端部に当接させる為の内側当接片２３Ａ，２３Ｂとを備える形態にするとよい。
別の形態の角柱状部材１０として、下向きの角樋状を成す外殻部１１の両側壁の各下端に、嵌込用溝１３を形成させる為のＬ形に折曲させた溝形成片１４を、折目ｄを介して延設し、外殻部１１と溝形成片１４との各重合面を互いに固着させることにより、角柱状部材１０を扁平に折り畳める様にしてもよい。
角柱状部材１０の、更に別の形態として、下向きの角樋状を成す外殻部１１の両側壁の各下端間に、嵌込用溝１３を形成させる為の角樋形に折曲させた溝形成片１６を跨設してもよい。
【０００７】
【考案の実施の形態】
図１〜図６に、本考案による送風用補助具の、第１実施例を示した。
図１は、この実施例の送風用補助具Ａ１の斜視図であり、図２は、送風用補助具Ａ１を、棺Ｃに組付けた状態の斜視図であり、図３は、冷風発生装置Ｂの外観斜視図であり、図４は、送風用補助具Ａ１の使用状態を示す縦断面図である。
【０００８】
図１に示した様に、矩形枠状体の形態を備えた送風用補助具Ａ１は、図２及び図４に示した様に、箱状の棺本体Ｃ１の開放上面の周縁部と、棺の蓋Ｃ２の下面周縁部との間に、挟み込ませた状態で使用される。
【０００９】
そして、この組付状態で、図２〜図４に示した様に、送風用補助具Ａ１の周壁の１個所に所定間隔を隔てて設けた、冷気の吹込口１及び排出口２には、棺Ｃの傍らに据え置いた冷風発生装置Ｂの、冷気の吹出部５１及び吸込部５２が夫々接続される。
【００１０】
送風用補助具Ａ１は、段ボールを素材として作られており、図５に斜視図として示した、夫々所定の長さを有する、長、短各２本づつの角柱状部材１０Ａ、及び１０Ｂを、図６に示した形態を備える、計４箇のコーナー連結材２０を用いて、図１に示した様に、矩形枠状に合体させた構成を備えている。
送風用補助具Ａ１の外側面は、棺の色に合わせた化粧紙等で美装するとよい。
【００１１】
角柱状部材１０Ａと、１０Ｂとは、夫々の長さが異なるだけで、構造は同じである。
即ち、所定の長さと幅を有する、段ボール製の帯板を、図５に示した様に、下向きの角樋状に折り曲げて作られた外殻部１１と、その内空部の上方部分に固着状態で充填した、複数枚の段ボール帯板を角柱状に積層させたコア部１２とから成る。
【００１２】
外殻部１１の内空部のうち、コア部１２を充填していない下方部分は、図４に示した様に、棺本体Ｃ１の開放上面の周縁部を嵌め込ませる為の、嵌込用溝１３としている。
そして、１本の角柱状部材１０Ａの側面には、図１，図４に示した様に、冷気の吹込口１及び排出口２を、所定間隔を隔てて貫通状に設けている。
【００１３】
次に、コーナー連結材２０は、所定の形状に裁断した１枚の段ボールを、図６に示した形態に折上げて作られている。
この実施例のコーナー連結材２０は、直交状に突き合わされた２本の角柱状部材１０Ａ，１０Ｂの、各外側面端部に、図１に示した様に当接させる為の、折目ａを介して一体に連らなる一組の外側当接片２１Ａ，２１Ｂを備えている。
【００１４】
そして、外側当接片２１Ａ，２１Ｂの各上端には、角柱状部材１０Ａ，１０Ｂの各頂面に当接させる頂面当接片２２Ａ，２２Ｂと、角柱状部材１０Ａ，１０Ｂの、各内側面端部に、図１に示した様に当接させる為の、内側当接片２３Ａ，２３Ｂとを、折目ｂ及びｃを介して順次延設させている。
【００１５】
更に、外側当接片２１Ａ，２１Ｂ、及び内側当接片２３Ａ，２３Ｂには、角柱状部材１０Ａ，１０Ｂへの上記当接状態を固定させる為の両面粘着テープ片２４を、図６に示した配置で貼着させている。
【００１６】
次に、送風用補助具Ａ１を棺Ｃに組付ける手順の一例と、その機能に就いて、各図を参照しながら説明する。
送風用補助具Ａ１は、その保管・輸送時には、コンパクトにまとめて置く為に、各２本づつの角柱状部材１０Ａ，１０Ｂと、１枚の段ボールに展開させた状態の、４個のコーナー連結材２０とに分割されている。
【００１７】
送風用補助具Ａ１を、図２に示した様に、棺Ｃに組付けるには、先ず、棺Ｃから蓋Ｃ２を取り外す。
そして、棺本体Ｃ１の四辺の各上縁部に、図４に示した様に、角柱状部材１０Ａ及び１０Ｂの嵌込用溝１３を夫々嵌め込ませる。
【００１８】
然かる後、展開状態のコーナー連結材２０を、図６に示した様に、その最終のの折上がり形態に近い状態に迄折り癖を付け、且つ、両面粘着テープ片２４の表側の離型紙を剥がし取る。
そして、この状態のコーナー連結材２０を、直交に突き合わされている各２本の角柱状部材１０Ａ，１０Ｂの突き合わせ角部の両側に跨がらせる様に当てがって、図１に示した状態に密着させる。
この密着状態は、４枚の両面粘着テープ片２４により確実に固定される。
【００１９】
かくして、送風用補助具Ａ１の組立と、棺Ｃへの組付けは、極めて簡単・迅速に完了する。
尚、棺Ｃの長辺及び短辺と、角柱状部材１０Ａ及び１０Ｂとの夫々の長さ寸法が正確に合致せず、角柱状部材１０Ａ，１０Ｂの方が幾分短か過ぎても、この寸法不足の部分は、コーナー連結材２０が覆い隠してくれるので、何等不具合は生じない。
【００２０】
即ち、棺Ｃと送風用補助具Ａ１とのサイズが多少食い違っていても、支障なく組付けられる。角柱状部材１０Ａ，１０Ｂの方が長過ぎれば、その分を切除すればよい。
【００２１】
棺本体Ｃ１の上縁部に、送風用補助具Ａ１を継ぎ足す様にして組付け終えたら、図４に示した様に、送風用補助具Ａ１の上面開口に、棺の蓋Ｃ２を覆い被せれば、棺Ｃの内部に冷風を循環供給する為の準備は完了する。
【００２２】
そこで、図４に示した様に、棺Ｃの傍らに、キャスター付きの冷風発生装置Ｂを近接させて据え置き、その冷風の吹出口５１及び吸込口５２を、送風用補助具Ａ１の吹込口１及び排出口２に夫々接続させれば、冷風発生装置Ｂの運転準備も完了する。
尚、冷風発生装置Ｂの運転騒音のレベルは極めて低い。冷風発生装置Ｂは、葬儀用の飾り布で覆う等するとよい。
【００２３】
棺Ｃを斎場から火葬場に移送する為に、棺Ｃから冷風発生装置Ｂを取り外すと、送風用補助具Ａ１に設けた吹込口１及び排出口２がむき出しになって見苦しいし、棺Ｃの中の低温空気が、外気と連通してしまう。
そこで、吹込口１及び排出口２を、図２に仮想線で示した様に、感圧接着剤付きの蓋片１５で塞ぐ様にしている。
【００２４】
次に、図７及び図８に、本考案による別の実施例の送風用補助具Ａ２の、角柱状部材１０Ａ，１０Ｂの部分を示した。
この送風用補助具Ａ２の特徴は、角柱状部材１０Ａ，１０Ｂを、唯１枚の段ボールを素材として、折上・折畳自在な形態に組立てたところにある。
【００２５】
即ち、図７に示した様に、角柱状部材１０Ａ，１０Ｂは、段ボール帯板を下向きの角樋状に折り曲げて作られた外殻部１１の、両側壁の各下端に、嵌込用溝１３を形成させる為のＬ形に折曲させた溝形成片１４を、折目ｄを介して延設した形態を備えている。
そして、外殻部１１と溝形成片１４との各重合面は、接着剤を使う等して互いに固着させている。
【００２６】
この実施例では、角柱状部材１０Ａと１０Ｂとを、１本に列ねた状態で作り、その接続部分に、図７に示した様に、Ｖカット状の切れ目ｅを設けることによって、この接続個所で直角に折り曲げることが出来る。又、２つ折状態に折り畳むことも出来る。
もっとも、前述の、棺Ｃと送風用補助具Ａ１とのサイズ食い違いの調節機能を持たせる為に、角柱状部材１０Ａと１０Ｂとは、夫々別体に作ってもよい。
【００２７】
この実施例の角柱状部材１０Ａ，１０Ｂは、保管・輸送時には、図８に示した様に、矢示方向に圧迫力を及ぼすことによって完全に扁平に潰れるので、保管・輸送費を節約出来る。又、段ボールの使用量も少なくて済む。
【００２８】
次に、図９に、本考案による更に別の実施例の送風用補助具Ａ３の、角柱状部材１０Ａ，１０Ｂの部分を、縦断面図として示した。
この実施例の角柱状部材１０Ａ，１０Ｂは、図示の様に、下向きの角樋状を成す外殻部１１の両側壁の各下端間に、嵌込用溝１３を形成させる為の角樋形に折曲させた溝形成片１６を跨設した形態を備えている。
この場合も、角柱状部材１０Ａ，１０Ｂは、扁平に折り畳むことが出来る。
【００２９】
【考案の効果】
以上の説明によって明らかな様に、本考案による送風用補助具及び冷風発生装置を用いて、棺を保冷すれば、以下に列挙した如き実用上の優れた効果が得られる。
〔１〕冷風発生装置を用いることによる効果
（ａ）棺の内部を保冷するのに、ドライアイスを使わなくて済む。
（ｂ）従って、地球温暖化の元凶となる炭酸ガスを排出させなくて済む。
（ｃ）冷風発生装置は、極低温のドライアイスの様に取り扱いが面倒でなく、然も、装置の寿命が尽きる迄反復使用出来て、経済的である。
〔２〕送風用補助具を用いることによる効果
（ｄ）段ボール等の紙製の送風用補助具は、極く安価に作れる。
（ｅ）棺への組付操作も、簡単・迅速に行える。
（ｆ）棺と、送風用補助具とのサイズが完全に合わない場合でも、或る程度は、サイズを簡単に調節出来る。
（ｇ）紙製なので、焼却処分しても、環境への悪影響は殆ど無い。
（ｈ）保管・輸送時に嵩張らない様に、分解したり、折り畳んだり、扁平に展開させられる。
【図面の簡単な説明】
【図１】本考案の一実施例を示すもので、送風用補助具の斜視図である。
【図２】同上、送風用補助具を棺に組付けた状態の斜視図である。
【図３】同上、冷風発生装置の斜視図である。
【図４】同上、送風用補助具及び冷風発生装置を棺に組付けた状態を示す縦断面図である。
【図５】同上、送風用補助具を構成する角柱状部材の斜視図である。
【図６】同上、コーナー連結材の使用時の折上形態を示す斜視図である。
【図７】本考案による送風用補助具の他の実施例を示すもので、角柱状部材の部分斜視図である。
【図８】同上、角柱状部材を扁平に折り畳みつつある状態を示す部分斜視図である。
【図９】本考案による送風用補助具の更に別の実施例を示すもので、角柱状部材の縦断面図である。
【符号の説明】
Ａ１〜Ａ３　送風用補助具
Ｂ　冷風発生装置
Ｃ　棺
Ｃ１　棺本体
Ｃ２　蓋
１　冷風の吹込口
２　冷風の排出口
１０Ａ，１０Ｂ　角柱状部材
１１　外殻部
１２　コア部
１３　嵌込用溝
１４，１６　溝形成片
１５　蓋片
２０　コーナー連結材
２１Ａ，２１Ｂ　外側当接片
２２Ａ，２２Ｂ　頂面当接片
２３Ａ，２３Ｂ　内側当接片
２４　両面粘着テープ片
５１　冷気の吹出口
５２　冷気の吸込口
ａ〜ｄ　折目
ｅ　切れ目
【図１】
0003097565.tif 000003
【図２】
0003097565.tif 000004
【図３】
0003097565.tif 000005
【図４】
0003097565.tif 000006
【図５】
0003097565.tif 000007
【図６】
0003097565.tif 000008
【図７】
0003097565.tif 000009
【図８】
0003097565.tif 000010
【図９】
0003097565.tif 000011